(57)【要約】【課題】  文書から固有名詞を抽出し、抽出した固有名詞を元に、違う言語で記載された文書を検索する技術を提供する。【解決手段】  制御部２１は、画像読取装置１０から転送された画像データに文字認識処理を施し、テキストデータにし、このテキストデータから固有名詞を抽出する。そして、抽出した固有名詞（第１の言語）を第２の言語に変換し、第１の言語による固有名詞、第２の言語による固有名詞および別途入力されたファイル名とともに、これらを関連付けてファイル作成者テーブルに蓄積する。次に、第２の言語で作成された文書が読み込まれると、この文書に対して第２の言語による固有名詞を抽出する。抽出された第２の言語の固有名詞が、ファイル作成者テーブルにあるか否かを検索し、検出された場合には、それに対応する第１の言語による固有名詞を検索結果として表示部２３に表示する。【選択図】      図２
2006330994.tif 000002
【特許請求の範囲】
【請求項１】
シート状媒体から画像データを読み取る読取手段と、
第１の言語による固有名詞と第２の言語による固有名詞とが関連づけられて記憶された固有名詞記憶手段と、
前記画像データを第２の言語による固有名詞に関連づけて記憶する蓄積手段と、
前記読取手段が読み取った画像データに文字認識処理を施し、認識文字列を出力する文字認識処理手段と、
前記文字認識処理手段が出力した認識文字列の言語が前記第１の言語であった場合に前記固有名詞記憶手段に記憶されている第１の言語による固有名詞と同じ固有名詞を前記認識文字列から抽出する固有名詞抽出手段と、
前記固有名詞抽出手段が抽出した第１の言語の固有名詞に関連づけられている第２の言語の固有名詞を、前記固有名詞記憶手段の記憶内容を参照して検出する検出手段と、
前記検出手段が検出した第２の言語の固有名詞に関連づけられている画像データを前記蓄積手段から検索する検索手段と、
前記検索手段が検索した画像データを表示する表示手段と
を具備することを特徴とする文書検索装置。
【請求項２】
前記文字認識処理手段が出力した認識文字列の言語が前記第２の言語であった場合に、前記固有名詞記憶手段に記憶されている第２の言語による固有名詞と同じ固有名詞が前記認識文字列に含まれているか否かを検索し、含まれている場合にはその固有名詞と前記読取手段が読み取った画像データとを関連づけて前記蓄積手段に記憶させる蓄積制御手段  を具備することを特徴とする請求項１記載の文書検索装置。
【請求項３】
前記文字認識処理手段が出力した認識文字列に対して、前記固有名詞抽出手段、前記検出手段および前記表示手段による動作と、前記蓄積制御手段による動作とのいずれか一方を指定する指定手段を具備することを特徴とする請求項２記載の文書検索装置。
【請求項４】
前記固有名詞記憶手段には３以上の言語による固有名詞が関連づけられて記憶されるとともに、予め設定されている複数の言語の中から、前記第１および第２の言語となる言語を選択する言語選択手段を具備することを特徴とする請求項１から３いずれかに記載の文書検索装置。
【発明の詳細な説明】
【技術分野】
【０００１】
本発明は、固有名詞を抽出し電子文書を検索する技術に関し、特に、異言語で書かれた複数の文書を固有名詞を元に検索する技術に関する。
【背景技術】
【０００２】
近年、通信機器の発達等で大量の情報が流通する中、所望の情報を取得することがユーザにとって困難になってきている。そこで、特許文献１には、特定の言葉から所望の情報を取得するという観点に基づいて、電子文書から固有名詞を抽出する技術が開示されている。具体的には、固有名詞の特徴を捉えたパターンを予め記憶させておき、そのパターンとマッチするか否かによって固有名詞であるか否かを判定し、その結果を元に固有名詞を抽出する。
【特許文献１】特開平６−５２２２１号公報
【発明の開示】
【発明が解決しようとする課題】
【０００３】
ところで、近年のグローバル化に伴い、母国語以外の文書（電子文書）に接する機会が増えてきている。そのため、ユーザが取得した文書が所望の文書であったとしても、その文書がユーザの母国語以外の言語で記載されている場合、ユーザがその言語を既に習熟していれば、所望していた情報であると認識することができるが、習熟していなければ、文書の内容を理解することができず、所望していた情報であると認識することができない。その結果、取得したいと思っていた情報を取得することができないということが起こる虞がある。
【０００４】
上記特許文献１の技術においては、固有名詞を抽出するのみであるため、同一人物によって記載された同一の内容の文書であっても、それぞれ違う言語で記載されていれば、それぞれの文書からそれぞれの言語で記載された固有名詞が抽出される。従って、例えば固有名詞である「Ａ氏」をキーにユーザがデータベースを検索する場合、キーとなる「Ａ氏」がどの言語で表されているかによって検索結果として得られる文書が異なる。また、データベースに格納されている固有名詞を含んだ文書の言語と、検索に用いる固有名詞の言語が異なる場合、それらの固有名詞が同一人物であっても、特許文献１の技術においては、所望の文書が検索対象とされない。
【０００５】
本発明はこのような事情に鑑みてなされたものであり、その目的は、文書から固有名詞を抽出し、抽出した固有名詞を元に、違う言語で記載された文書を検索する技術を提供する。
【課題を解決するための手段】
【０００６】
上記課題を解決するために、本発明は、シート状媒体から画像データを読み取る読取手段と、第１の言語による固有名詞と第２の言語による固有名詞とが関連づけられて記憶された固有名詞記憶手段と、前記画像データを第２の言語による固有名詞に関連づけて記憶する蓄積手段と、前記読取手段が読み取った画像データに文字認識処理を施し、認識文字列を出力する文字認識処理手段と、前記文字認識処理手段が出力した認識文字列の言語が前記第１の言語であった場合に前記固有名詞記憶手段に記憶されている第１の言語による固有名詞と同じ固有名詞を前記認識文字列から抽出する固有名詞抽出手段と、前記固有名詞抽出手段が抽出した第１の言語の固有名詞に関連づけられている第２の言語の固有名詞を、前記固有名詞記憶手段の記憶内容を参照して検出する検出手段と、前記検出手段が検出した第２の言語の固有名詞に関連づけられている画像データを前記蓄積手段から検索する検索手段と、前記検索手段が検索した画像データを表示する表示手段とを具備する文書検索装置を提供する。
【０００７】
この文書検索装置によれば、蓄積手段に蓄積されている文書の言語と読取手段で読み取った文書の言語が違っていても、固有名詞記憶手段によって記憶されている第１の言語および第２の言語による固有名詞を元に、読取手段で読み取った文書と関連する文書を蓄積手段に蓄積されている文書から検索することができる。
【０００８】
本発明の好ましい態様において、前記文字認識処理手段が出力した認識文字列の言語が前記第２の言語であった場合に、前記固有名詞記憶手段に記憶されている第２の言語による固有名詞と同じ固有名詞が前記認識文字列に含まれているか否かを検索し、含まれている場合にはその固有名詞と前記読取手段が読み取った画像データとを関連づけて前記蓄積手段に記憶させる蓄積制御手段を具備するようにしてもよい。
【０００９】
別の好ましい態様において、前記文字認識処理手段が出力した認識文字列に対して、前記固有名詞抽出手段、前記検出手段および前記表示手段による動作と、前記蓄積制御手段による動作とのいずれか一方を指定する指定手段を具備するようにしてもよい。また、固有名詞記憶手段には３以上の言語による固有名詞が関連づけられて記憶されるとともに、
予め設定されている複数の言語の中から、前記第１および第２の言語となる言語を選択する言語選択手段を具備するようにしてもよい。
【発明を実施するための最良の形態】
【００１０】
図１は、本発明に係る文書検索装置の１実施形態である検索装置２０を含む文書検索システム１の構成例を示すブロック図である。図１の画像読取装置１０は、例えばＡＤＦ（Auto Document Feeder）などの自動給紙機構を備えたスキャナ装置であり、ＡＤＦにセットされた紙文書を１ページずつ光学的に読み取り、読み取った画像に対応する画像データを通信線１２を介して検索装置２０に転送するものである。通信線１２はＬＡＮ（Local Area Network）、ＷＡＮ（Wide Area Network）、インターネットなどを用いることができるが、本実施形態においては、通信線１２としてＬＡＮを用いている。
【００１１】
図２は、検索装置２０のハードウェア構成を示すブロック図である。
制御部２１は、例えばＣＰＵ（Central Processing Unit）であり、記憶部２５に格納されている各種ソフトウェアを実行することによって、検索装置２０の各部を中枢的に制御する。通信ＩＦ部２２は通信線１２を介して画像読取装置１０に接続されており、この通信線１２を介して画像読取装置１０から送信される画像データを受け取り、制御部２１に転送する。
【００１２】
表示部２３は、例えば液晶ディスプレイとその駆動回路であり、制御部２１から転送されたデータに応じた画像を表示する。操作部２４は、例えば、複数の操作子（図示省略）を備えたキーボードであり、それら操作子の操作内容に応じたデータ（以下、操作内容データ）を制御部２１へ出力する。
【００１３】
記憶部２５は、揮発性記憶部２５ａ、不揮発性記憶部２５ｂを含んでいる。揮発性記憶部２５ａは、例えばＲＡＭ（Random Access Memory）であり、制御部２１のワークエリアとして利用される。不揮発性記憶部２５ｂは、例えばハードディスクである。この不揮発性記憶部２５ｂには、図３に示した固有名詞辞書が格納されている。図３に示すように、固有名詞辞書は、「中国語表記」フィールド及び「英語表記」フィールドによって構成され、固有名詞に対する中国語表記と、英語表記とがそれぞれ関連づけて登録されている。例えば「田芳」の英語表記は「Ｔｉａｎ  Ｆａｎｇ」であるので、「田芳」に関連づけられて「Ｔｉａｎ  Ｆａｎｇ」が格納され、「白朗」の英語表記は「Ｂａｉ  Ｌａｎｇ」であるので、「白朗」に関連づけられて「Ｂａｉ  Ｌａｎｇ」が格納されている。
【００１４】
また、不揮発性記憶部２５ｂには図４に示したファイル作成者テーブル、ＯＳ（Operating System）を制御部２１に実行させるためのＯＳソフトウェア、固有名詞検索ソフトウェアが格納されている。ファイル作成者テーブルは図４に示したように、「ファイル名」フィールド、「ファイル作成者」フィールドによって構成され、「ファイル作成者」フィールドはさらに、「中国語表記」フィールド、「英語表記」フィールドによって構成されている。
【００１５】
次に、制御部２１が行う動作について図５を用いて説明する。検索装置２０の電源（図示略）が投入されると、制御部２１は、まず、ＯＳソフトウェアを不揮発性記憶部２５ｂから読み出す。そしてユーザの指示により上記固有名詞検索ソフトウェアの実行が指示されると、制御部２１は上記固有名詞検索ソフトウェアを不揮発性記憶部２５ｂから読み出しこれを実行する。ここで、制御部２１の動作は大きく２つある。１つ目は「画像データ蓄積」動作であり、２つ目は「画像データ検索」動作である。画像データ蓄積動作とは、画像読取装置１０から転送された画像データを不揮発性記憶部２５ｂに蓄積する動作である。画像データ検索動作とは、前述した不揮発性記憶部２５ｂに蓄積された画像データを、特定の情報を元に検索する動作である。これらの動作は、ユーザの指示に応じて制御部２１が選択する。
【００１６】
まず、制御部２１は、表示部２３に図６に示した選択メニュー３０を表示し、ユーザに画像データの処理方法を選択させる（ステップＳＡ１０）。図６に示したように、選択メニュー３０は、「画像データ蓄積」ボタンＢＴ３１、「画像データ検索」ボタンＢＴ３２によって構成されている。「画像データ蓄積」ボタンＢＴ３１がユーザによって選択され押下されると、制御部２１は上記ユーザの操作内容を表す操作内容データを操作部２４から受け取り、その操作内容データに基づいて処理方法を特定する。ここでは、「画像データ蓄積」を示す操作内容データを受け取ることにより、選択された処理方法が「画像データ蓄積」であることを特定する。そして制御部２１は画像データが画像読取装置１０から送られてくることを待ち受ける。
【００１７】
一方、ユーザが画像読取装置１０のＡＤＦに紙文書をセットし、所定の操作を行うと、紙文書の記載内容を表す画像が画像読取装置１０によって読み取られ、その画像に対応する画像データが通信線１２を介して画像読取装置１０から検索装置２０へ送られる。
【００１８】
制御部２１は、画像読取装置１０から送られた画像データを通信ＩＦ部２２を介して受け取ると（ステップＳＡ１２）、受け取った画像データを不揮発性記憶部２５ｂに記憶すると共に、画像データにレイアウト解析をかけて文字領域を認識する（ステップＳＡ１４）。そして、認識した文字領域のそれぞれにＯＣＲ処理を施してテキストデータにする（ステップＳＡ１６）。次に、制御部２１は形態素解析、および固有名詞抽出技術を用いて、ステップＳＡ１６において生成したテキストデータから固有名詞を抽出する。固有名詞抽出技術は、形態素解析を施したテキストデータ中の人名、組織名、地名等のそれぞれに、人名、組織名、地名を表すタグを付与し、指定されたタグが付与された語句を抽出する技術である。本実施形態においては、特に、この固有名詞抽出技術によって人名を抽出し、さらに抽出した人名から図３に示した固有名詞辞書に格納されている固有名詞と一致する人名を抽出する（ステップＳＡ１８）。
【００１９】
ここで、ステップＳＡ１８についてより詳細に説明すると、画像読取装置１０から送られた画像データが図７に示した文書５０であった場合、制御部２１は固有名詞抽出技術によって固有名詞として「田芳」を抽出する。なお、図７において「○○」で示している部分は中国語表記されている文書であることを示している。
【００２０】
次に、ユーザに指定された画像データの処理方法が「画像データ蓄積」であったので（ステップＳＡ２０；ＹＥＳ）、制御部２１はステップＳＡ１８において抽出した中国語表記の固有名詞「田芳」を、図３に示した固有名詞辞書を用いて英語表記の固有名詞「Ｔｉａｎ  Ｆａｎｇ」に変換する（ステップＳＡ２２）。そして、表示部２３に図８に示したファイル名入力画面４０を表示し、ユーザに操作部２４によってファイル名を入力させる（ステップＳＡ２４）。図８に示したように、ファイル名入力画面４０には入力ボックス４１が設けられており、ユーザは操作部２４を操作することにより、この入力ボックス４１にファイル名を入力する。
【００２１】
制御部２１は操作部２４から、ファイル名を含む操作内容データを受け取ると、そのファイル名、ステップＳＡ１８において抽出した中国語表記の固有名詞、およびその中国語表記の固有名詞をステップＳＡ２２において英語表記に変換した固有名詞を図４に示したファイル作成者テーブルに蓄積する（ステップＳＡ２６）。具体的には、ステップＳＡ２４においてユーザによって入力されたファイル名が「ＦｉｌｅＸ」であったとすると、「ＦｉｌｅＸ」をファイル作成者テーブルの「ファイル名」フィールドに蓄積する。そして、「田芳」、「Ｔｉａｎ  Ｆａｎｇ」をそれぞれ「ファイル作成者」フィールドの「中国語表記」フィールド、「英語表記」フィールドに蓄積する。このようにすることで、ファイル名と、そのファイルを作成した作成者の中国語表記および英語表記が関連づけて蓄積されることになる。
【００２２】
次に、ステップＳＡ１０において制御部２１が表示部２３に表示した選択メニュー３０（図６参照）の「画像データ検索」ボタンＢＴ３２をユーザが押下した場合の制御部２１の動作を説明する。なお、このとき、ファイル作成者テーブル（図４参照）には十分な量のデータが蓄積されているものとする。
【００２３】
制御部２１は操作部２４から「画像データ検索」を示す操作内容データを受け取ることにより、選択された処理方法が「画像データ検索」であることを特定する。そして制御部２１は特定した処理方法が「画像データ検索」であることを揮発性記憶部２５ａに書き込んで記憶し、画像データが画像読取装置１０から送られてくることを待ち受ける。このとき、画像読取装置１０のＡＤＦにセットされた紙文書が、英語表記されたものであるとする。ユーザによって紙文書がセットされると、前述のように、紙文書の記載内容を表す画像が画像読取装置１０によって読み取られ、その画像に対応する画像データが通信線１２を介して画像読取装置１０から検索装置２０へ転送される。
【００２４】
制御部２１は、前述のステップＳＡ１２→ステップＳＡ１４→ステップＳＡ１６→ステップＳＡ１８を行い、テキストデータから固有名詞を抽出する。
【００２５】
ここで、ステップＳＡ１８について詳細に説明すると、画像読取装置１０から転送された画像データが図９に示した文書５２であった場合、制御部２１は転送された画像データが英語表記された文書を表す画像データであることを認識する。そしてその画像データにレイアウト解析、ＯＣＲ処理を施し、テキストデータにしたものから固有名詞抽出処理によって固有名詞として「Ｔｉａｎ  Ｆａｎｇ」を抽出する。なお、図９において「△△」で示している部分は英語表記されていることを示している。
【００２６】
次に、ステップＳＡ１０において、選択メニュー３０を介してユーザに指定された画像データの処理方法が「画像データ検索」であったので（ステップＳＡ２０；ＮＯ）、制御部２１は、ステップＳＡ１８において抽出した固有名詞「Ｔｉａｎ  Ｆａｎｇ」を元に、図４に示したファイル作成者テーブルにおける「ファイル作成者」フィールドの「英語表記」フィールドを検索する（ステップＳＡ２８）。該当する固有名詞があった場合（ステップＳＡ３０；ＹＥＳ）、その固有名詞に関連づけて蓄積されているファイル名、固有名詞の中国語表記を表示部２３に表示する（ステップＳＡ３２）。この場合、「Ｔｉａｎ  Ｆａｎｇ」に関連づけられて「ＦｉｌｅＸ」（「ファイル名」フィールド）と、「田芳」（「ファイル作成者」フィールドの「中国語表記」フィールド）とが蓄積されているので、制御部２１はこの「ＦｉｌｅＸ」及び「田芳」を検索結果として表示部２３に表示する。これによりユーザは、英語表記の「Ｔｉａｎ  Ｆａｎｇ」と、中国語表記の「田芳」は同一人物であることを把握することができると共に、当該人物によって作成されたファイルが既に蓄積されていることを把握することができる。
【００２７】
一方、ステップＳＡ２８において、画像データから抽出した固有名詞を元にファイル作成者テーブルを検索した結果、該当する固有名詞が無かった場合（ステップＳＡ３０；ＮＯ）、その旨を表示部２３に表示する（ステップＳＡ３４）。
【００２８】
以上説明したように、本実施形態によれば、ファイルを蓄積する際は、そのファイルを表す画像データから固有名詞を抽出し、画像データのファイル名と、ファイル作成者の中国語表記及び英語表記とを関連づけて蓄積する。また、ファイルを検索する際は、そのファイルを表す画像データから抽出した固有名詞を元に蓄積されているファイルを検索する。従って、同一人物が作成した中国語表記、英語表記されている文書を、母国語以外の言語には習熟していないユーザが入手した場合、作成者をキーにその作成者が作成した文書を検索することができる。
【００２９】
さらに、中国語表記、英語表記されている同一内容の文書を本実施形態に適用した場合、それぞれの作成者をキーに検索した検索結果から、それぞれの文書の作成者が同一であるとユーザは推定することが可能になる。例えば図７において「○○」で示した領域５０ａの文書の内容と、図９において「△△」で示した領域５２ａの文書の内容が同一のものであっても、それぞれが異言語で記載されていれば、これらは別の内容の文書であるとユーザは誤判断してしまう虞がある。しかし、作成者をキーにこれらの文書の作成者は同一であることを把握することができれば、ユーザは、これらの文書の関連性を想定することができる。
【００３０】
なお、上述した実施形態においては、制御部２１が「画像データ蓄積」を行う際の文書、および「画像データ検索」を行う際の文書がそれぞれ第１の言語としての英語表記、および第２の言語としての中国語表記されたものである場合を示した。しかし、このようなパターンに限らず、第１の言語、第２の言語はそれぞれ中国語表記、英語表記されたものであってもよい。
【００３１】
また、本実施形態においては、第１の言語、第２の言語がそれぞれ英語および中国語である場合を示したが、英語、中国語に限らず、例えばフランス語やイタリア語など他の言語であってもよい。このとき、それぞれの言語の固有名詞の対応関係を示した固有名詞辞書を不揮発性記憶部２５ｂに保持させるようにする。
【００３２】
また、固有名詞辞書によって関連づける言語は２カ国語に限らず、３カ国語以上の言語を関連づけるようにしてもよい。このとき、図１０に示すように、不揮発性記憶部２５ｂには３カ国以上の言語で表された固有名詞を関連づけた固有名詞辞書を格納しておく。そして制御部２１は、第１の言語、第２の言語を選択する言語選択手段として図１１に示した言語選択メニュー６０を表示部２３に表示させる。言語選択メニュー６０を視認したユーザは操作部２４によってプルダウンメニュー６１を操作することにより言語を選択し、決定ボタンＢＴ６２を押下することにより所望の言語を選択することができる。制御部２１は操作部２４から、選択された言語を含む操作内容データを受け取ると、その操作内容データから第１の言語、第２の言語を特定する。そして第１の言語、または第２の言語で表記された文書を表すテキストデータから、図１０に示した固有名詞辞書を元に第１の言語、または第２の言語に対応する固有名詞を抽出する。
【００３３】
また、本実施形態においては、画像読取装置１０と検索装置２０とをそれぞれ個別のハードウェアとして構成する場合を示したが、両者を一体のハードウェアで構成するようにしてもよい。このとき、通信線１２は、係るハードウェア内で画像読取装置１０と検索装置２０とを接続する内部バスとなる。
【００３４】
また、本実施形態においては、画像読取装置１０から検索装置２０に引き渡される画像データの処理方法が「画像データ蓄積」、「画像データ検索」のいずれの場合においても、画像データに、レイアウト解析、ＯＣＲ処理、固有名詞抽出技術を施す場合を示したが、これらのレイアウト解析、ＯＣＲ処理、固有名詞抽出技術は「画像データ検索」の場合にのみ行い、「画像データ蓄積」の場合には行わない構成にしてもよい。すなわち、制御部２１は「画像データ蓄積」の処理の際には、不揮発性記憶部２５ｂに画像読取装置１０から引き渡される画像データを蓄積するのみとし、「画像データ検索」処理を行う際に、不揮発性記憶部２５ｂに蓄積されている画像データにレイアウト解析、ＯＣＲ処理を施しテキストデータにしたものを検索するようにしてもよい。ここで、本実施形態においては、「画像データ蓄積」の際に蓄積するデータは画像データである場合について説明したが、蓄積するデータは、レイアウト解析、ＯＣＲ処理を施したテキストデータであってもよい。この場合には、本実施形態の「画像データ検索」にあたる検索処理を行う際は、このテキストデータを直接検索するようにする。
【００３５】
また、本実施形態においては、人名を元に不揮発性記憶部２５ｂに記憶されている文書を検索する場合を示したが、元にするのは人名に限らず、形態素解析、および固有名詞抽出技術によって例えば、組織名、地名であってもよい。
【００３６】
また、本実施形態においては、不揮発性記憶部２５ｂに予め記憶されたプログラムに基づいて実施する場合を示したが、例えばＣＤ−ＲＯＭ（Compact Disk-Read Only Memory）やＤＶＤ（Digital Versatile Disk）などのコンピュータ装置読取可能な記録媒体に、上記ソフトウェアをインストールするようにしてもよい。
【図面の簡単な説明】
【００３７】
【図１】本発明の実施形態に係る文書検索システムの全体構成を示すブロック図である。
【図２】検索装置のハードウェア構成の一例を示すブロック図である。
【図３】固有名詞辞書のフォーマットを例示した図である。
【図４】ファイル作成者テーブルのフォーマットを例示した図である。
【図５】検索装置の制御部が行う動作を示したフローチャートを示した図である。
【図６】表示部が表示する選択メニューを例示した図である。
【図７】中国語で記載された文書を例示した図である。
【図８】表示部が表示するファイル名入力画面を例示した図である。
【図９】英語で記載された文書を例示した図である。
【図１０】固有名詞辞書のフォーマットを例示した図である。
【図１１】表示部が表示する言語選択メニューを例示した図である。
【符号の説明】
【００３８】
１・・・文書検索システム、１０・・・画像読取装置、１２・・・通信線、２０・・・検索装置、２１・・・制御部、２２・・・通信ＩＦ部、２３・・・表示部、２４・・・操作部、２５・・・記憶部、２５ａ・・・揮発性記憶部、２５ｂ・・・不揮発性記憶部、２６・・・バス
【図１】
2006330994.tif 000003
【図２】
2006330994.tif 000004
【図３】
2006330994.tif 000005
【図４】
2006330994.tif 000006
【図５】
2006330994.tif 000007
【図６】
2006330994.tif 000008
【図７】
2006330994.tif 000009
【図８】
2006330994.tif 000010
【図９】
2006330994.tif 000011
【図１０】
2006330994.tif 000012
【図１１】
2006330994.tif 000013